【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
画像データを保存する方法であって、
第１の方向を有する第１の画像を表すデータを受信するステップと、
重力に関してデバイス垂直方向を示す第２の方向を表すデータを受信するステップと、
前記第２の方向が前記第１の画像の垂直方向となるように前記第１の画像を再方向付けして再方向付け画像を生成するステップと、
前記再方向付け画像を保存するステップと、
を含む、前記方法。
【請求項２】
前記第１の画像を表示するステップと、
前記第２の方向を示すインジケータを表示するステップと、
をさらに含む、請求項１に記載の方法。
【請求項３】
前記インジケータは、アスペクト比及び前記第２の方向を表すグラフィックであり、前記インジケータは、前記再方向付け画像を表す手法で前記第１の画像上にオーバーレイされる、請求項２に記載の方法。
【請求項４】
前記アスペクト比は、前記第２の方向に応じて変化する、請求項３に記載の方法。
【請求項５】
前記第１の画像は、ビデオのフレームである、請求項１に記載の方法。
【請求項６】
第１の方向を有する画像データをキャプチャするための画像センサと、
回転値を判定するための回転センサと、
前記回転値に応じて第２の方向を決定し、前記第２の方向に応じて前記画像データを再方向付けして再方向付け画像を生成するプロセッサと、
前記再方向付け画像を格納するメモリと、
を備えた、装置。
【請求項７】
前記画像を表示し、前記第２の方向を示すインジケータを表示するディスプレイをさらに備えた、請求項６に記載の装置。
【請求項８】
前記インジケータは、アスペクト比及び前記第２の方向を表すグラフィックであり、前記インジケータは、前記再方向付け画像を表す手法で前記画像上にオーバーレイされる、請求項７に記載の装置。
【請求項９】
前記アスペクト比は、前記第２の方向に応じて変化する、請求項８に記載の装置。
【請求項１０】
前記画像は、ビデオのフレームである、請求項６に記載の装置。
【請求項１１】
キャプチャモードを初期化するステップと、
画像を表すデータを受信するステップと、
回転位置を表すデータを受信するステップと、
前記キャプチャモードを非アクティブ化するステップと、
前記回転位置に応じて前記画像を回転して、回転された画像を生成するステップと、
前記回転された画像を格納するステップと、
を含む、方法。
【請求項１２】
前記画像を表示するステップと、
前記回転位置を示すインジケータを表示するステップと、
をさらに含む、請求項１１に記載の方法。
【請求項１３】
前記インジケータは、アスペクト比及び前記回転位置を表すグラフィックであり、前記インジケータは、前記回転された画像を表す手法で前記画像上にオーバーレイされる、請求項１２に記載の方法。
【請求項１４】
前記アスペクト比は、前記回転位置に応じて変化する、請求項１３に記載の方法。
【請求項１５】
前記画像は、ビデオのフレームである、請求項１１に記載の方法。
【請求項１６】
ビデオストリームを処理する方法であって、
ビデオキャプチャモードを初期化するステップと、
ビデオストリームを表す第１のデータを受信するステップと、
前記ビデオストリームの表示を表示するステップと、
アスペクト比を表す第２のデータを受信するステップと、
回転位置を表す第３のデータを受信するステップと、
前記ビデオストリームの前記表示の上に、前記アスペクト比及び前記回転位置を表すグラフィックをオーバーレイするステップと、
を含む、前記方法。
【請求項１７】
前記アスペクト比は、前記回転位置に応じて変化する、請求項１６に記載の方法。
【手続補正２】
【補正対象書類名】明細書
【補正対象項目名】００３１
【補正方法】変更
【補正の内容】
【００３１】
上述され、議論された要素は、ハードウェア、ソフトウェア又はそれらの組み合わせの様々な形で実装することができる。好ましくは、これらの要素は、プロセッサ、メモリ及び入力／出力インターフェースを含むことができる、１つ又は複数の適切にプログラムされた汎用デバイス上のハードウェア及びソフトウェアの組み合わせにおいて実装される。本説明は、本開示の原理を例示する。本明細書では明確に説明又は示されないが、当業者であれば、本開示の原理を具現化し、その範囲内に含まれる、様々なアレンジを考え出すことができることが理解されよう。本明細書に記載された全ての例及び条件付きの用語は、従来技術を前進するために発明者によって貢献された本開示及び概念の原理を読者が理解することを補助する情報的な目的を意図されており、そのような特定の記載された例及び条件に対する制限なしで解釈されるべきである。さらに、本開示の原理、態様及び実施形態、及びそれらの特定の例を記載する本明細書での全ての発言は、それらの構造的及び機能的均等物の両方を包含することを意図している。加えて、そのような均等物は現在周知の均等物とともに将来発展される均等物の両方、すなわち構造に関わらず、同じ機能を実行するように発展された任意の要素を含むことを意図している。従って、例えば、当業者は、本明細書とともに提示されたブロック図が本発明の原理を具体化する例示的な電気回路の概念支店を表すことを理解するであろう。同様に、任意のフローチャート、フロー図、状態移行図、擬似コード等は、実質的に、コンピュータ可読メディアにおいて表され、そしてコンピュータ又はプロセッサによって実行され、そのようなコンピュータ又はプロセッサが明確に示されているかどうかを表すことができる様々なプロセスを表す。
本発明は以下の態様を含む。
（付記１）
画像データを保存する方法であって、
第１の方向を有する第１の画像を表すデータを受信するステップと、
重力に関してデバイス垂直方向を示す第２の方向を表すデータを受信するステップと、
前記第２の方向が前記第１の画像の垂直方向となるように前記第１の画像を再方向付けして再方向付け画像を生成するステップと、
前記再方向付け画像を保存するステップと、
を含む、前記方法。
（付記２）
前記第１の画像を表示するステップと、
前記第２の方向を示すインジケータを表示するステップと、
をさらに含む、付記１に記載の方法。
（付記３）
前記インジケータは、アスペクト比及び前記第２の方向を表すグラフィックであり、前記インジケータは、前記再方向付け画像を表す手法で前記第１の画像上にオーバーレイされる、付記２に記載の方法。
（付記４）
前記アスペクト比は、前記第２の方向に応じて変化する、付記３に記載の方法。
（付記５）
前記第１の画像は、ビデオのフレームである、付記１に記載の方法。
（付記６）
第１の方向を有する画像データをキャプチャするための画像センサと、
回転値を判定するための回転センサと、
前記回転値に応じて第２の方向を決定し、前記第２の方向に応じて前記画像データを再方向付けして再方向付け画像を生成し、前記再方向付け画像を格納するプロセッサと、
を備えた、装置。
（付記７）
前記画像を表示し、前記第２の方向を示すインジケータを表示するディスプレイをさらに備えた、付記６に記載の装置。
（付記８）
前記インジケータは、アスペクト比及び前記第２の方向を表すグラフィックであり、前記インジケータは、前記再方向付け画像を表す手法で前記画像上にオーバーレイされる、付記７に記載の装置。
（付記９）
前記アスペクト比は、前記第２の方向に応じて変化する、付記８に記載の装置。
（付記１０）
前記画像は、ビデオのフレームである、付記６に記載の装置。
（付記１１）
キャプチャモードを初期化するステップと、
画像を表すデータを受信するステップと、
回転位置を表すデータを受信するステップと、
前記キャプチャモードを非アクティブ化するステップと、
前記回転位置に応じて前記画像を回転して、回転された画像を生成するステップと、
前記回転された画像を格納するステップと、
を含む、方法。
（付記１２）
前記画像を表示するステップと、
前記回転位置を示すインジケータを表示するステップと、
をさらに含む、付記１１に記載の方法。
（付記１３）
前記インジケータは、アスペクト比及び前記回転位置を表すグラフィックであり、前記インジケータは、前記回転された画像を表す手法で前記画像上にオーバーレイされる、付記１２に記載の方法。
（付記１４）
前記アスペクト比は、前記回転位置に応じて変化する、付記１３に記載の方法。
（付記１５）
前記画像は、ビデオのフレームである、付記１１に記載の方法。
（付記１６）
ビデオストリームを処理する方法であって、
ビデオキャプチャモードを初期化するステップと、
ビデオストリームを表す第１のデータを受信するステップと、
前記ビデオストリームの表示を表示するステップと、
アスペクト比を表す第２のデータを受信するステップと、
回転位置を表す第３のデータを受信するステップと、
前記ビデオストリームの前記表示の上に、前記アスペクト比及び前記回転位置を表すグラフィックをオーバーレイするステップと、
を含む、前記方法。
（付記１７）
前記アスペクト比は、前記回転位置に応じて変化する、付記１６に記載の方法。